(57)【要約】本発明はガイドレール（２）に沿って移動可能な装着用具（１）に関する。装着用具（１）は、ハンドル（８）を有するガイドシュー（７）と、ガイドレール（２）のガイドリム（４）にコードストリップ（１０）を施すためのストリップステーション（９）とを含んで構成される。ストリップ入口部（１２）、ストリップロール（１３）、および押圧シュー（１５）を有するアーム（１４）は全て、ストリップステーション（９）のステーション支持部（１１）上に設けられる。調整ねじ（１７）を有する連結ピン（１６）は、ステーション支持部（１１）をガイドシュー（７）に連結させる。ホルダー（２１）は、ガイドシュー（７）に着脱可能に連結されたブラケット（１８）上に搭載される。コードストリップ（１０）用の接着剤入り容器は、ホルダー上に搭載することができる。エレベータかごの屋根上に乗った装着者が、手でコードストリップ（１０）の端部をしっかりと掴み、コードストリップ（１０）がガイドリム（４）に塗布された接着剤に接着するまで装着用具（１）を下方に移動させる。次いで、両手で更に装着用具（１）を下方に確実な形で移動させ、エレベータかごがエレベータ軸全体を通過するまでエレベータかごを下方に移動させる。
2004526647.tif 000002
【特許請求の範囲】
【請求項１】
エレベータの支持構造体（２）にコードストリップ（１０）を取り付けるための装置であって、
装着用具（１）は前記支持構造体（２）に沿って案内されて移動可能であり、前記コードストリップ（１０）は前記装着用具（１）を用いて前記支持構造体（２）に取り付け可能である、装置。
【請求項２】
前記装着用具（１）は、ガイドシュー（７）と該ガイドシュー（７）に連結されるストリップステーション（９）とを備え、前記ガイドシュー（７）は前記支持構造体（２）に沿って案内されて移動可能であり、前記コードストリップ（１０）を取り付けるための前記ストリップステーション（９）が支持構造体に提供されることを特徴とする、請求項１に記載の装置。
【請求項３】
前記ストリップステーション（９）は、前記ガイドシュー（７）の移動方向に対して垂直に調整可能であることを特徴とする、請求項１または２に記載の装置。
【請求項４】
前記ストリップステーション（９）は、ストリップ引込部（１２）、ガイドローラ（１３）、及び押圧シュー（１５）がその上に設けられた前記ガイドシュー（７）に連結されるステーション支持部（１１）を有し、前記コードストリップ（１０）は、前記ストリップ引込部（１２）及び前記ガイドローラ（１３）によって案内され前記押圧シュー（１５）によって前記支持構造体（２）に取り付け可能となることを特徴とする、請求項１から３のいずれか一項に記載の装置。
【請求項５】
前記押圧シュー（１５）は、前記ステーション支持部（１１）のアーム（１４）に調整可能に設けられることを特徴とする、請求項４に記載の装置。
【請求項６】
前記コードストリップ（１０）用接着剤入りの容器を取り付けることができるホルダー（２１）が提供されることを特徴とする、請求項１から５のいずれか一項に記載の装置。
【発明の詳細な説明】
【技術分野】
【０００１】
本発明は、エレベータの支持構造体にコードストリップを取り付けるための装置に関し、装着用具は支持構造体に沿って案内されて移動することができ、この装着用具によって、コードストリップが支持構造体に取り付け可能となる。
【背景技術】
【０００２】
磁気ヘッドが磁気ストリップを走査する位置測定装置は、既発行の特許明細書ＤＧＭ９２  １０  ９９６．９  Ｕ１から周知である。磁気ヘッドは、ガイドレールによってエレベータ昇降路を案内されるエレベータかごに設けられる。ガイドレールに設けられる磁気ストリップには、距離、停止階などの情報が含まれる。自動接着性の磁気ストリップは、該磁気ストリップが湾曲したり横にずれて設けられた場合でも磁気ヘッドが常に磁気ストリップ上に位置するような幅を有することで実現される。
【０００３】
周知の装置の不都合は、人間の手によって設けられる磁気ストリップは昇降路の高さ全体に渡って考えると、湾曲して設けられるという点である。磁気ストリップを走査する際に情報が失われることのないよう、磁気ストリップと磁気ヘッドは十分な幅を実現する必要がある。
【発明の開示】
【発明が解決しようとする課題】
【０００４】
これが、本発明が対策の提供を目的とするところである。請求項１に特徴が記載される本発明は、周知の装置の欠点を回避し、昇降路の高さ全体に渡って考えた場合に、コード支持部を支持構造体に精密に取り付けられるような器具を作成するための解決策を提供する。
【課題を解決するための手段】
【０００５】
本発明により達成される利点は、本質的には、優れた分解能を持つ磁気ストリップを使用できる点に見られる。まっすぐに伸びた状態であるため、情報密度のより高いコードストリップを用いることができる。本発明に係る装着用具によって、コードストリップは過剰に引き伸ばされることなく、例えばガイドレールなどに装着されることができる。コードストリップが過剰に引き伸ばされたり皺がよったりすると、読み取られる情報が歪むことになる。さらに、コードストリップがより細ければ、省スペースでコンパクトな読み取りヘッドを用いることができる。本発明の装着用具によれば、より短時間で磁気ストリップを装着することができ、また昇降路の高さ全体に渡り一貫して高い精度で取り付けることができる。
【０００６】
添付の図面を参照して、本発明を詳細に説明する。
【発明を実施するための最良の形態】
【０００７】
図１は、本発明による装着用具１を三次元で表した図であり、該装着用具１は、例えばガイドレール２に沿って移動できる。ガイドレール２は、エレベータ昇降路を移動させられるエレベータかごを案内する機能を持つ。ガイドリム４とレールベース５とを含むガイドレール２は、例えばクリップ６などを用いて昇降路壁またはアンカーレールに固着される。
【０００８】
装着用具１は、ハンドル８を有するガイドシュー７と、コードストリップ１０をガイドレール２のガイドリム４に取り付けるためのストリップステーション９とで構成される。ガイドシュー７は、ガイドリム４の両側にフランジ部７．１を有し、これによりＵ型の空間が形成され、その中に摺動体７．２が設けられる。ストリップステーション９のステーション支持部１１上には、ストリップ引込部１２、ガイドローラ１３、および押圧シュー１５を有するアーム１４が設けられる。調整ネジ１７を有する連結ピン１６は、ステーション支持部１１をガイドシュー７に連結させ、該連結ピン１６はブラケット１８に連結された支持部１９の軸受内に支持される。ガイドシュー７に着脱可能に連結され、上下部に設けられた細長い穴２０に沿って移動可能なブラケット１８には、コードストリップ１０用の接着剤が入った容器を取り付けるためのホルダー２１を設けることができる。ホルダー２１はステーション支持部１１に設けてもよい。
【０００９】
ローラ軸２２に設けられるガイドローラ１３は、その両端面にフランジ状のディスク２３を有し、これによりコードストリップ１０が横方向に案内される。ローラ軸２２はステーション支持部１１に設けられる。ステーション支持部１１上に設けられたばねボルト２５を有するアーム１４は、押圧シュー１５を有する。コードストリップ１０を押圧する力は、調整ねじ２６によって調整可能である。
【００１０】
コードストリップ１０を装着する作業は、例えば、エレベータかごの屋根部から行われる。コードストリップ１０は、エレベータ昇降路に緩く設置されるか、または利用可能なようにロール巻きの状態でかごの屋根上に置かれる。装着用具１は、ガイドレールの上端でガイドレール２のガイドリムに設置され、またストリップステーション９は調整ねじ１７によって位置調整される。これに対応して、ブラケット１８が細長い穴２０によって適合される。次いで、接着剤入りの容器が設置される。コードストリップ１０が磁気で自己接着されるものであれば、接着剤は必要ない。ブラケット１８が移動可能であるため、装着用具を異なるレール寸法に適合でき、レール許容誤差を補償できる。
【００１１】
コードストリップ１０は、ストリップ引込部１２内に置かれ、ガイドローラ１３の下で押されて、押圧シュー１５の下に引き出される。図４は、ストリップステーション９内のコードストリップ１０の通路を示す。カゴの屋根上に立っている技術者が、手でコードストリップ１０の端部をしっかりと掴み、コードストリップ１０が、ガイドリム４に塗布された接着剤に接着するまで、または自身の磁性によってガイドリム４自体に接着するまで、装着用具１を下方に移動させる。次いで、両手で装着用具１を更に下方へ、確実に移動させ、エレベータかごはエレベータ昇降路の高さ全体を移動するまで下方へ動かされる。
【００１２】
コードストリップ１０の支持構造体として機能するガードレールの代替２として、エレベータ昇降路内の他のレールまたは支持部を用いることもできる。
【図面の簡単な説明】
【００１３】
【図１】本発明による装着用具を三次元で表した図である。
【図２】装着用具の平面図である。
【図３】装着用具の側面図である。
【図４】図１または図３の線Ａ−Ａに沿った断面図である。
【図１】
2004526647.tif 000003
【図２】
2004526647.tif 000004
【図３】
2004526647.tif 000005
【図４】
2004526647.tif 000006
【国際公開パンフレット】
2004526647.tif 000007
2004526647.tif 000008
2004526647.tif 000009
2004526647.tif 000010
2004526647.tif 000011
2004526647.tif 000012
2004526647.tif 000013
2004526647.tif 000014
2004526647.tif 000015
2004526647.tif 000016
2004526647.tif 000017
2004526647.tif 000018
【国際調査報告】
2004526647.tif 000019
2004526647.tif 000020
2004526647.tif 000021
2004526647.tif 000022